(57)【要約】【課題】パネルの傷つき又は割れのリスクが低減される電子機器を提供する。【解決手段】電子機器１は、表面の側に位置するガラス面３１１を有するガラスパネル３１と、ガラス面３１１に接合部材によって接合される傷つき防止樹脂パネル３２とを含む複合パネル３０と、ガラスパネルを裏面の側で支持する支持部１２とを備える。支持部１２がガラスパネル３１に接する領域は、ガラス面３１１に垂直な方向において、傷つき防止樹脂パネル３２と重なる部分を含む。【選択図】図１
2018128655.tif 000002
【特許請求の範囲】
【請求項１】
表面の側に位置するガラス面を有するガラスパネルと、前記ガラス面に接合部材によって接合される傷つき防止樹脂パネルとを含む複合パネルと、
前記ガラスパネルを裏面の側で支持する支持部と、を備え、
前記支持部が前記ガラスパネルに接する領域は、前記ガラス面に垂直な方向において、前記傷つき防止樹脂パネルと重なる部分を含む、電子機器。
【請求項２】
表面の側に位置するガラス面を有するガラスパネルと、前記ガラス面に接合部材によって接合される傷つき防止樹脂パネルとを含む複合パネルと、
前記ガラスパネルを裏面の側で支持する支持部と、を備え、
前記支持部が前記ガラスパネルに接する領域の少なくとも一部と、前記傷つき防止樹脂パネルが前記ガラスパネルに接する領域の少なくとも一部とが、当該傷つき防止樹脂パネルと当該ガラスパネルとの積層方向において重なる、電子機器。
【請求項３】
前記傷つき防止樹脂パネルの端部は、前記ガラス面の面内において、当該ガラス面の端部より内側に位置する、請求項１または２に記載の電子機器。
【発明の詳細な説明】
【技術分野】
【０００１】
本開示は、パネルを備える電子機器に関する。
【背景技術】
【０００２】
従来、ガラス又は合成樹脂で形成されたパネルを備える電子機器がある（例えば、特許文献１参照）。
【先行技術文献】
【特許文献】
【０００３】
【特許文献１】国際公開第２０１４／１７４８３５号
【発明の概要】
【発明が解決しようとする課題】
【０００４】
パネルは、外部からの衝撃等によって、傷ついたり割れたりすることがある。パネルの傷つき又は割れのリスクが低減される電子機器が求められる。
【０００５】
本開示は、パネルの傷つき又は割れのリスクが低減される電子機器を提供することを目的とする。
【課題を解決するための手段】
【０００６】
本開示の一実施形態に係る電子機器は、複合パネルと支持部とを備える。前記複合パネルは、表面の側に位置するガラス面を有するガラスパネルと、前記ガラス面に接合部材によって接合される傷つき防止樹脂パネルとを含む。前記支持部は、前記ガラスパネルを裏面の側で支持する。前記支持部が前記ガラスパネルに接する領域は、前記ガラス面に垂直な方向において、前記傷つき防止樹脂パネルと重なる部分を含む。
また、本開示の一実施形態に係る電子機器は、複合パネルと支持部とを備える。前記複合パネルは、表面の側に位置するガラス面を有するガラスパネルと、前記ガラス面に接合部材によって接合される傷つき防止樹脂パネルとを含む。前記支持部は、前記ガラスパネルを裏面の側で支持する。前記支持部が前記ガラスパネルに接する領域の少なくとも一部と、前記傷つき防止樹脂パネルが前記ガラスパネルに接する領域の少なくとも一部とが、当該傷つき防止樹脂パネルと当該ガラスパネルとの積層方向において重なる。
【発明の効果】
【０００７】
本開示の一実施形態に係る電子機器によれば、パネルの傷つき又は割れのリスクが低減されうる。
【図面の簡単な説明】
【０００８】
【図１】一実施形態に係る電子機器の構成例を示す平面図である。
【図２】図１のＡ−Ａ断面図である。
【図３】図２の破線丸囲み部の拡大図である。
【図４】フロントパネルの構成例を示す図１のＢ−Ｂ断面図である。
【図５】傷つき防止樹脂パネルの構成例を示す図である。
【図６】傷つき防止樹脂パネルの接合位置の一例を示す図である。
【図７】傷つき防止樹脂パネルの接合位置の比較例を示す図である。
【図８】傷つき防止樹脂パネルの端部と支点との位置関係の一例を示す図である。
【図９】傷つき防止樹脂パネルの端部に対する治具のアクセスの一例を示す図である。
【図１０】他の実施形態に係るフロントパネルの構成例を示す断面図である。
【発明を実施するための形態】
【０００９】
本実施形態に係る電子機器は、携帯電話、又はスマートフォン等の携帯電子機器であってよい。本実施形態に係る電子機器は、携帯電子機器に限定されるものではない。電子機器は、デスクトップＰＣ（Personal Computer）、ノートＰＣ、タブレット型ＰＣ、家電製品、産業用機器若しくはＦＡ（Factory Automation）機器、又は専用端末等の種々の電子機器であってよい。
【００１０】
例えば特許文献１に記載される電子機器は、段落〔０００９〕に記載されるように、合成樹脂により形成されるパネルを備える。一方で、本実施形態に係る電子機器は、ガラスと樹脂とがガラス面で接合された複合パネルを備える。ガラスと樹脂とがガラス面で接合された複合パネルは、樹脂だけで構成されるパネルと比較して、ユーザに対してガラスパネルの質感を提供しうる。本実施形態に係る電子機器は、パネルにタッチするユーザに対して、ガラスを含むパネルから受ける質感を提供しうるとともに、ガラスを含むパネルが有する割れの発生のリスクを低減しうる。
【００１１】
図１に示されるように、一実施形態に係る電子機器１は、筐体１０と、表示部２０と、複合パネル３０と、フロントパネル４０とを備える。電子機器１は、インカメラ５０又は照度センサ５１をさらに備えてよい。電子機器１において表示部２０及び複合パネル３０が位置する面は、前面ともいう。複合パネル３０は、電子機器１の前面の側を向く第１面と、第１面とは反対側を向く第２面とを有する。第２面は、電子機器１の内部の側を向く面ともいえる。第１面及び第２面は、電子機器１の前面の側から見て、それぞれ表面及び裏面ともいう。
【００１２】
図２に示されるように、複合パネル３０は、ガラスパネル３１と、傷つき防止樹脂パネル３２とを含む。傷つき防止樹脂パネル３２は、ガラスパネル３１に対して第１面の側に位置するように、ガラスパネル３１に接合される。ガラスパネル３１は、第２面の側の端部において、筐体１０に接合される。表示部２０は、ガラスパネル３１の第２面の側に接合される。筐体１０と複合パネル３０とで囲まれた領域には、内部構造物６０が設けられる。内部構造物６０は、例えば、バッテリであってよいし、電子機器１の各構成部を制御する制御部として機能するプロセッサ又は電子回路等を含む基板であってよい。内部構造物６０は、インカメラ５０又は照度センサ５１を含んでよい。
【００１３】
電子機器１の制御部は、例えばプロセッサとして構成される。制御部は、１以上のプロセッサを含んでよい。プロセッサは、特定のプログラムを読み込ませて特定の機能を実行する汎用のプロセッサ、及び特定の処理に特化した専用のプロセッサを含んでよい。専用のプロセッサは、特定用途向けＩＣ（Integrated Circuit）を含んでよい。特定用途向けＩＣは、ＡＳＩＣ（Application Specific Integrated Circuit）ともいう。プロセッサは、プログラマブルロジックデバイスを含んでよい。プログラマブルロジックデバイスは、ＰＬＤ（Programmable Logic Device）ともいう。ＰＬＤは、ＦＰＧＡ（Field-Programmable Gate Array）を含んでよい。制御部は、１つ又は複数のプロセッサが協働するＳｏＣ（System-on-a-Chip）、及びＳｉＰ（System In a Package）のいずれかであってよい。
【００１４】
表示部２０は、電子機器１の制御部等から取得した情報に基づき、文字、画像、操作用オブジェクト、ポインタ等を表示する。表示部２０は、例えば、液晶ディスプレイ、有機ＥＬ（Electroluminescence）ディスプレイ、無機ＥＬディスプレイ等の表示デバイスであってよいが、これらに限られない。
【００１５】
ガラスパネル３１は、タッチセンサを備えてよい。タッチセンサを備えるガラスパネル３１は、タッチパネルともいう。タッチパネルは、ユーザによるタッチを入力として検出しうる。表示部２０が接合されたタッチパネルは、タッチパネルディスプレイともいう。
【００１６】
インカメラ５０は、電子機器１の前面の側に位置する被写体を撮像する。インカメラ５０は、撮像素子を含んでよい。インカメラ５０は、レンズ等の光学系を含んでよい。照度センサ５１は、電子機器１の前面の側の照度を検出する。電子機器１は、照度に応じて、表示部２０に表示させる画像の輝度を制御してよい。
【００１７】
図３に示されるように、筐体１０は、外周部１１と、支持部１２とを備える。外周部１１は、リムともいう。筐体１０は、例えば、金属又は樹脂等の材料で構成されてよい。筐体１０は、金属又は樹脂等の材料を複合した材料で構成されてよい。筐体１０は、他の種々の材料で構成されてよい。
【００１８】
複合パネル３０は、外周部１１の内側に配置される。複合パネル３０は、ガラスパネル３１が第２面の側の端部で支持部１２によって支持されるように、筐体１０に接合される。この場合、傷つき防止樹脂パネル３２は、電子機器１の前面に向く。表示部２０は、ガラスパネル３１の、第２面の側に接合される。つまり、表示部２０は、筐体１０の内部の側に接合される。表示部２０は、複合パネル３０を介して、筐体１０に接合されるともいえる。
【００１９】
傷つき防止樹脂パネル３２が電子機器１の前面に向くことによって、電子機器１が衝撃を受けた場合でも、ガラスパネル３１が傷つきにくくなる。結果として、ガラスパネル３１の割れが生じにくくなる。傷つき防止樹脂パネル３２は、インカメラ５０又は照度センサ５１の位置に対応して、入射光を通過させる窓を有してよい。
【００２０】
図４に示されるように、フロントパネル４０は、ガラスパネル３１の第１面の側の端部を覆うように、電子機器１の前面の側に、着脱可能に配置される。このようにすることで、ガラスパネル３１の端部への衝撃が緩和されうる。結果として、ガラスパネル３１が破損しにくくなる。フロントパネル４０は、傷つき防止樹脂パネル３２の端部が露出するように位置する。このようにすることで、フロントパネル４０は、電子機器１の前面において傷つき防止樹脂パネル３２と並んで位置する。フロントパネル４０が傷つき防止樹脂パネル３２と重なって位置する場合と比較して、電子機器１の厚みが低減されうる。
【００２１】
フロントパネル４０は、筐体１０にフロントパネル接合部４１によって接合される。フロントパネル４０は、筐体１０に対して着脱可能に構成されてよい。フロントパネル接合部４１は、例えば、ねじ等の接合部材で構成されてよい。フロントパネル４０が筐体１０から取り外された状態で、ガラスパネル３１と傷つき防止樹脂パネル３２とが接合する界面に、傷つき防止樹脂パネル３２を剥がすための治具３３（図９参照）が挿入可能となるように構成されてよい。言い換えれば、電子機器１は、フロントパネル４０が筐体１０から取り外された状態で、ガラスパネル３１と傷つき防止樹脂パネル３２とが接合する界面にアクセス可能に構成されてよい。
【００２２】
図５に示されるように、傷つき防止樹脂パネル３２は、表面部３２１と、基材３２２とを含む。表面部３２１は、電子機器１の前面の側に位置し、ユーザの指等で直接タッチされる。表面部３２１は、比較的高い硬度を有する材料であってよい。表面部３２１は、指等のタッチに対する耐摩耗性がある材料であってよい。表面部３２１は、物体等の衝突に対して傷つきにくい材料であってよい。表面部３２１は、衝突してきた物体を貫通させにくい材料であってよい。表面部３２１は、所定の厚みを有してよい。所定の厚みは、衝突してきた物体を貫通させにくいように、材料に応じて決定される厚みであってよい。表面部３２１は、例えばアクリル系樹脂であってよい。表面部３２１は、例えばアクリル系樹脂に限定されず、有機系樹脂であってよい。
【００２３】
傷つき防止樹脂パネル３２は、表面部３２１と基材３２２との間に、第１粘着材３２３を有する。表面部３２１と基材３２２とは、第１粘着材３２３によって接合される。第１粘着材３２３は、表面部３２１に対して高い接合強度を有する材料であってよい。表面部３２１がアクリル系樹脂である場合、第１粘着材３２３は、アクリル系粘着材等であってよい。表面部３２１が有機系樹脂である場合、第１粘着材３２３は、有機系粘着材等であってよい。
【００２４】
傷つき防止樹脂パネル３２は、基材３２２の第２面の側に第２粘着材３２４を有する。傷つき防止樹脂パネル３２は、第２粘着材３２４によって、ガラスパネル３１のガラス面３１１に接合される。ガラス面３１１は、ガラスパネル３１の第１面の側の面であるものとする。第２粘着材３２４は、ガラス面３１１に対して高い接合強度を有する材料であってよい。第２粘着材３２４は、シリコン系粘着材等であってよい。
【００２５】
基材３２２は、第１粘着材３２３と第２粘着材３２４との両方に対して高い接合強度を有する材料であってよい。第１粘着材３２３及び第２粘着材３２４がそれぞれアクリル系粘着材及びシリコン系粘着材である場合、基材３２２は、例えばＰＥＴ（Polyethylene Terephthalate）で構成されてよい。
【００２６】
表面部３２１は、電子機器１の前面の側に対応する第１面の側に、防汚層３２５を有する。防汚層３２５は、ユーザのタッチによる指紋等の油脂成分を付着しにくくする。結果として、複合パネル３０は、汚れにくくなりうる。防汚層３２５は、例えばフッ素コート等の種々の表面処理によって形成される層であってよい。
【００２７】
複合パネル３０は、傷つき防止樹脂パネル３２を有することによって、ガラスだけで構成されるパネルと比較して、ガラスパネル３１に傷がつきにくい。結果として、パネルが割れにくくなりうる。複合パネル３０は、電子機器１の前面の側に防汚層３２５を有することによって、汚れにくくなりうる。複合パネル３０は、ガラスだけで構成されるパネルとは異なり、傷つき防止樹脂パネル３２に覆われたガラス面３１１には汚れが付着するおそれがない。ガラス面３１１にフッ素コート等の防汚コートが施されなくてよい。ガラス面３１１に直接傷つき防止樹脂パネル３２が接合されることによって、ガラスパネル３１と傷つき防止樹脂パネル３２との接合強度が高められうる。
【００２８】
例えば、ガラスだけで構成されるパネルを備えるスマートフォン等の機器において、パネルの表面に防汚コートが施されることがある。ユーザは、防汚コートが施されたパネルに保護シートを貼りつけて機器を使用することがある。防汚コートは、ごみ等が付着しにくくなる処理である。防汚コートが施されたパネルに対する保護シートの粘着強度は、防汚コートが施されていないパネルに対する粘着強度と比較して、低くなりうる。
【００２９】
粘着強度は、互いに粘着した２枚のシートを一定の速度で剥離する際に必要な力として測定されうる。ガラスパネル３１及び保護シートはそれぞれ、剛性材料及び可撓性材料とみなされうる。剛性材料と可撓性材料との間の粘着強度の測定に際して、１８０度剥離によって、シートが剥離されてよい。１８０度剥離は、可撓性材料を１８０度に近い角度で撓ませて、剛性材料から剥離する方法である。実際に測定した結果によれば、防汚コートされたガラスパネル３１と保護シートとの間の粘着強度は、防汚コートされていないガラスパネル３１と保護シートとの間の粘着強度の１０分の１以下であった。つまり、防汚コートは、保護シートの粘着強度を低下させる。粘着強度の測定に用いられる剥離方法は、Ｔ型剥離等の他の形態の剥離方法であってよい。
【００３０】
防汚コートが施されたガラスパネル３１に貼りつけられた保護シートは、電子機器１が通常に使用される際に保護シートの端部に爪などが引っ掛かることによって容易に剥がれることがある。また、防汚コートが施されたガラスパネル３１に貼りつけられた保護シートは、該保護シートとガラスパネル３１の接着界面に油分又は水分等が侵入することで接着強度が低下して容易に剥がれることがある。また、防汚コートが施されたガラスパネル３１に貼りつけられた保護シートは、熱又は湿度等の影響で反り変形を起こし、接着強度が変形に耐えられずに容易に剥がれることがある。一方で、本実施形態に係る複合パネル３０は、防汚コートが施されていないガラスパネル３１のガラス面３１１に傷つき防止樹脂パネル３２を接合する。このようにすることで、ユーザが保護シートを貼りつける場合と比較して、傷つき防止樹脂パネル３２が剥がれにくくなる。
【００３１】
傷つき防止樹脂パネル３２は、ガラスパネル３１を傷つきにくくする。ガラスパネル３１に傷がつきにくい代わりに、傷つき防止樹脂パネル３２には傷がつくことがある。複合パネル３０は、ガラスパネル３１と傷つき防止樹脂パネル３２とが剥がれにくくなるように構成されつつ、剥離可能に構成される。傷つき防止樹脂パネル３２が剥離可能に構成されることによって、傷つき防止樹脂パネル３２に傷がついた場合、傷つき防止樹脂パネル３２だけが交換されうる。この場合、ガラスパネル３１は、交換されなくてよい。結果として、修理が容易になりうる。
【００３２】
ガラスパネル３１は、筐体１０の端部に近い領域において湾曲形状を有することがある。湾曲形状を有するガラスパネル３１に接合された傷つき防止樹脂パネル３２は、湾曲の曲率が大きくなる端部において剥がれやすくなることがある。傷つき防止樹脂パネル３２は、比較的低い可撓性を有する場合、湾曲形状を有するガラスパネル３１から、より剥がれやすい。ガラスパネル３１に防汚コートが施されている場合、傷つき防止樹脂パネル３２は、ガラスパネル３１から、より剥がれやすい。傷つき防止樹脂パネル３２は、防汚コートが施されていないガラスパネル３１のガラス面３１１に接合されることによって、傷つき防止樹脂パネル３２が比較的低い可撓性を有する場合であっても、湾曲形状を有するガラスパネル３１から剥がれにくくなる。
【００３３】
樹脂だけで構成されるパネルにタッチした際にユーザが受ける質感は、ガラスを含むパネルにタッチした際に受ける質感とは異なりうる。本実施形態に係る複合パネル３０は、ガラスを含むパネルから受ける質感を提供しうるとともに、ガラスを含むパネルが有する割れの発生のリスクを低減しうる。
【００３４】
第２粘着材３２４は、傷つき防止樹脂パネル３２がガラス面３１１に接合される際に、接合部に気泡が残りにくいように構成されてよい。例えば、第２粘着材３２４は、微粘着成分と強粘着成分との比率を適宜設定することによって、接合部から気泡が抜けやすいように構成されうる。
【００３５】
ガラスパネル３１と表示部２０とは、ＵＶ（Ultra Violet）光等の照射によって硬化する、光硬化材料で接合されてよい。ガラスパネル３１と表示部２０とがＵＶ光の照射によって硬化する材料で接合される場合、傷つき防止樹脂パネル３２は、ガラスパネル３１と表示部２０とが接合された後で、ガラスパネル３１に接合されてよい。このようにすることで、傷つき防止樹脂パネル３２にはＵＶ光等が照射されない。結果として、ＵＶ光等の照射による傷つき防止樹脂パネル３２の変質が防がれうる。また、傷つき防止樹脂パネル３２がアクリル系樹脂である場合、傷つき防止樹脂パネル３２が先にガラスパネル３１に接合された状態で、ガラスパネル３１と表示部２０とをＵＶ光等の照射で接合させようとすると、ＵＶ領域の波長の光がアクリル系樹脂に吸収されてしまう。これにより光硬化材料の硬化に必要な光量が得られなくなる。これに対し、ガラスパネル３１と表示部２０とが接合された後で、傷つき防止樹脂パネル３２をガラスパネル３１に接合すれば、このようなことを防ぐことができる。
【００３６】
図６に示されるように、ガラスパネル３１は、ガラス面３１１の端部に、面取り部３１２を有してよい。面取り部３１２は、ガラスパネル３１の側面とガラス面３１１との間の稜部に位置する面取り形状である。面取り部３１２は、図６に例示されるＣ面取り形状に限られず、Ｒ面取り形状等の他の面取り形状であってよい。ガラスパネル３１が面取り部３１２を有する場合、傷つき防止樹脂パネル３２は、面取り部３１２よりも内側に接合される。言い換えれば、傷つき防止樹脂パネル３２の端部は、面取り部３１２から所定距離以上離れて位置する。
【００３７】
図７に示されるように、傷つき防止樹脂パネル３２の端部が面取り部３１２に重複して位置する場合、傷つき防止樹脂パネル３２の第２粘着材３２４の一部が露出する。第２粘着材３２４にごみ等が付着することによって、ガラスパネル３１と傷つき防止樹脂パネル３２との界面における接合強度が低下しうる。また、第２粘着材３２４にごみ等が付着することによって、外観品質が低下しうる。図６に示される本実施形態に係る複合パネル３０は、図７に示される構成と比較して、ガラスパネル３１と傷つき防止樹脂パネル３２との接合強度が保たれやすい。また、図６に示される本実施形態に係る複合パネル３０は、図７に示される構成と比較して、外観品質が保たれやすい。
【００３８】
図８に示されるように、傷つき防止樹脂パネル３２は、ガラスパネル３１が支持部１２によって支持される位置に重畳してよい。ガラスパネル３１が支持部１２によって支持される位置は、支点ともいう。言い換えれば、傷つき防止樹脂パネル３２の端部は、支点より筐体１０の外周部１１に近い外側に位置してよい。ガラスパネル３１は、支点において、比較的大きい応力を受けうる。傷つき防止樹脂パネル３２が支点に重畳する場合、支点において複合パネル３０にかかる応力は、傷つき防止樹脂パネル３２にも分散しうる。結果として、支点において複合パネル３０にかかる応力は、緩和されうる。
【００３９】
傷つき防止樹脂パネル３２は、電子機器１の使用状態によっては傷つくことがある。傷つき防止樹脂パネル３２が傷ついたとしても、傷つき防止樹脂パネル３２によって衝撃が吸収されることによって、ガラスパネル３１の割れが防がれうる。傷つき防止樹脂パネル３２は、傷ついた場合交換されてよい。傷つき防止樹脂パネル３２は、ガラスパネル３１から剥離可能に構成されることによって、交換されうる。
【００４０】
図９に示されるように、治具３３は、フロントパネル４０が取り外された状態において、ガラスパネル３１と傷つき防止樹脂パネル３２との接合部に対して挿入されやすくなる。傷つき防止樹脂パネル３２は、ガラスパネル３１と傷つき防止樹脂パネル３２との接合部に対して治具３３が挿入されることによって剥がされうる。言い換えれば、複合パネル３０は、フロントパネル４０が取り外された状態において、ガラスパネル３１と傷つき防止樹脂パネル３２との接合部に対して、治具３３によってアクセス可能に構成される。
【００４１】
他の実施形態に係る電子機器１において、フロントパネル４０は、図１０に示されるように、傷つき防止樹脂パネル３２の端部を覆ってよい。言い換えれば、フロントパネル４０が取り付けられている状態で、ガラスパネル３１と傷つき防止樹脂パネル３２との接合部が露出しない。フロントパネル４０が取り外されている状態で、ガラスパネル３１と傷つき防止樹脂パネル３２との接合部が露出する。このようにすることで、傷つき防止樹脂パネル３２の端部において、ごみの付着又は物体の衝突が起こりにくくなる。結果として、傷つき防止樹脂パネル３２は、意図的に剥離される場合を除いて、ガラスパネル３１から剥離しにくくなる。
【００４２】
本開示に係る実施形態について、諸図面及び実施例に基づき説明してきたが、当業者であれば本開示に基づき種々の変形又は修正を行うことが容易であることに注意されたい。従って、これらの変形又は修正は本開示の範囲に含まれることに留意されたい。例えば、各構成部又は各ステップなどに含まれる機能などは論理的に矛盾しないように再配置可能であり、複数の構成部又はステップなどを１つに組み合わせたり、或いは分割したりすることが可能である。本開示に係る実施形態について装置を中心に説明してきたが、本開示に係る実施形態は装置の各構成部が実行するステップを含む方法としても実現し得るものである。本開示に係る実施形態は装置が備えるプロセッサにより実行される方法、プログラム、又はプログラムを記録した記憶媒体としても実現し得るものである。本開示の範囲にはこれらも包含されるものと理解されたい。
【００４３】
本開示において「第１」及び「第２」等の記載は、当該構成を区別するための識別子である。本開示における「第１」及び「第２」等の記載で区別された構成は、当該構成における番号を交換することができる。例えば、第１粘着材は、第２粘着材と識別子である「第１」と「第２」とを交換することができる。識別子の交換は同時に行われる。識別子の交換後も当該構成は区別される。識別子は削除してよい。識別子を削除した構成は、符号で区別される。本開示における「第１」及び「第２」等の識別子の記載のみに基づいて、当該構成の順序の解釈、小さい番号の識別子が存在することの根拠に利用してはならない。
【符号の説明】
【００４４】
１  電子機器
１０  筐体
１１  外周部
１２  支持部
２０  表示部
３０  複合パネル
３１  ガラスパネル
３１１  ガラス面
３１２  面取り部
３２  傷つき防止樹脂パネル
３２１  表面部
３２２  基材
３２３  第１粘着材
３２４  第２粘着材
３２５  防汚層
３３  治具
４０  フロントパネル
４１  フロントパネル接合部
５０  インカメラ
６０  内部構造物
【図１】
2018128655.tif 000003
【図２】
2018128655.tif 000004
【図３】
2018128655.tif 000005
【図４】
2018128655.tif 000006
【図５】
2018128655.tif 000007
【図６】
2018128655.tif 000008
【図７】
2018128655.tif 000009
【図８】
2018128655.tif 000010
【図９】
2018128655.tif 000011
【図１０】
2018128655.tif 000012
【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
表面の側に位置するガラス面を有するガラスパネルと、前記ガラス面に接合部材によって接合され、側面が自機の外側に露出する傷つき防止樹脂パネルとを含む複合パネルと、
前記ガラスパネルを裏面の側で支持する支持部と、を備え、
前記支持部が前記ガラスパネルに接する領域は、前記ガラス面に垂直な方向において、前記傷つき防止樹脂パネルと重なる部分を含む、電子機器。
【請求項２】
表面の側に位置するガラス面を有するガラスパネルと、前記ガラス面に接合部材によって接合され、側面が自機の外側に露出する傷つき防止樹脂パネルとを含む複合パネルと、
前記ガラスパネルを裏面の側で支持する支持部と、を備え、
前記支持部が前記ガラスパネルに接する領域の少なくとも一部と、前記傷つき防止樹脂パネルが前記ガラスパネルに接する領域の少なくとも一部とが、当該傷つき防止樹脂パネルと当該ガラスパネルとの積層方向において重なる、電子機器。
【請求項３】
前記傷つき防止樹脂パネルの端部は、前記ガラス面の面内において、当該ガラス面の端部より内側に位置する、請求項１または２に記載の電子機器。
【請求項４】
前記傷つき防止樹脂パネルの端部は、前記ガラス面の横方向と縦方向の双方において、当該ガラス面の端部より内側に位置する、請求項３に記載の電子機器。
【請求項５】
前記傷つき防止樹脂パネルは、当該傷つき防止樹脂パネルの少なくとも端部が前記接合部材によって前記ガラス面に接合される、請求項１乃至４のいずれか一項に記載の電子機器。
【手続補正２】
【補正対象書類名】明細書
【補正対象項目名】０００６
【補正方法】変更
【補正の内容】
【０００６】
本開示の一実施形態に係る電子機器は、複合パネルと支持部とを備える。前記複合パネルは、表面の側に位置するガラス面を有するガラスパネルと、前記ガラス面に接合部材によって接合され、側面が自機の外側に露出する傷つき防止樹脂パネルとを含む。前記支持部は、前記ガラスパネルを裏面の側で支持する。前記支持部が前記ガラスパネルに接する領域は、前記ガラス面に垂直な方向において、前記傷つき防止樹脂パネルと重なる部分を含む。
また、本開示の一実施形態に係る電子機器は、複合パネルと支持部とを備える。前記複合パネルは、表面の側に位置するガラス面を有するガラスパネルと、前記ガラス面に接合部材によって接合され、側面が自機の外側に露出する傷つき防止樹脂パネルとを含む。前記支持部は、前記ガラスパネルを裏面の側で支持する。前記支持部が前記ガラスパネルに接する領域の少なくとも一部と、前記傷つき防止樹脂パネルが前記ガラスパネルに接する領域の少なくとも一部とが、当該傷つき防止樹脂パネルと当該ガラスパネルとの積層方向において重なる。